(57)【要約】【課題】  金属加飾部材の組み付け作業、部品点数、及びコストを増やすことなく耐落下性を向上させるとともに、イニシャル費を高めることなくスイッチバリエーションへの対応が容易にできる携帯型無線キーを提供する。【解決手段】  金属加飾部材１２０の一対の端辺部１２１の先端側に設けられた加飾嵌合部１２３を、無線キー本体３側の加飾嵌止部１５で嵌止するとともに、金属加飾部材１２０の連結辺部１２２に設けられた加飾係合部を、無線キー本体３側の加飾係止部１７で係止する。そして、スイッチ操作カバー１３０を無線キー本体３及び金属加飾部材１２０の組立体に取り付ける。これにより、金属加飾部材１２０の組み付け作業、部品点数、及びコストを増やすことなく耐落下性を向上させることができるとともに、イニシャル費を高めることなくスイッチバリエーションへの対応が容易にできる。【選択図】  図２
2015086570.tif 000002
【特許請求の範囲】
【請求項１】
車両側との無線通信により、少なくとも前記車両のドアロックの施錠／開錠に係る制御を実施させる携帯型無線キーであって、無線キー本体（３）の外面に金属加飾部材（１２０）が取り付けられる携帯型無線キー（１）において、
前記携帯型無線キーは、
可動突起部（７２）を有するプッシュスイッチ（７１）が搭載されてなる回路基板（７０）と、
変形及びその復元が可能な柔軟なカバー材料からなり、使用者の押圧操作にともなって凹み変形して前記可動突起部を押圧する一方、その押圧操作の解除にともなって元の位置に復帰変形して前記可動突起部の押圧を解除する操作部（１３３）を有するスイッチ操作カバー（１３０）と、を備え、
前記金属加飾部材は、両端側に延びる一対の端辺部（１２１）と、該一対の端辺部を連結する連結辺部（１２２）とを備え、
前記端辺部の先端側には加飾嵌合部（１２３）が設けられ、前記連結辺部には加飾係合部（１２４）が設けられ、
前記無線キー本体には、前記加飾嵌合部を嵌止する加飾嵌止部（１５）と、前記加飾係合部を係止する加飾係止部（１７）と、前記スイッチ操作カバーに設けられたカバー係合部（１３１）を係止することでそのスイッチ操作カバーを着脱可能に取り付けるカバー係止部（１３）と、が設けられ、
前記加飾係合部を前記加飾係止部に係止するとともに前記加飾嵌合部を前記加飾嵌止部に嵌止することで、前記金属加飾部材を前記無線キー本体に固定し、
前記スイッチ操作カバーは、前記カバー係合部が前記カバー係止部に係止されて前記無線キー本体及び前記金属加飾部材の組立体に取り付けられることを特徴とする携帯型無線キー。
【請求項２】
前記端辺部は、前記金属加飾部材の左右方向に撓み可能に設けられ、
前記加飾嵌止部は、前記加飾嵌合部を嵌止することで該加飾嵌合部の前後方向及び上下方向の移動を規制し、
前記加飾係止部は、前記加飾係合部を係止することで該加飾係合部の上下方向の移動を規制し、
前記加飾嵌合部は、前記端辺部の撓み戻しを利用して前記加飾嵌止部に嵌止されることで、前記金属加飾部材の前後方向及び上下方向の移動を規制し、
前記スイッチ操作カバーは、前記カバー係合部が前記カバー係止部に係止されることで、前記端辺部の撓み方向となる前記金属加飾部材の左右方向の移動を規制する請求項１に記載の携帯型無線キー。
【請求項３】
前記回路基板には、前記プッシュスイッチが複数搭載され、
前記スイッチ操作カバーには、前記複数のプッシュスイッチと個々に対応する複数の前記操作部が設けられる請求項１又は請求項２に記載の携帯型無線キー。
【請求項４】
前記複数の操作部となる前記スイッチ操作カバーの各表面には、それぞれ当該操作部と対応する前記プッシュスイッチの機能を図案化したマーク（１３５）が施される請求項３に記載の携帯型無線キー。
【請求項５】
前記無線キー本体には、前記加飾嵌合部を前記加飾嵌止部に嵌止する位置へスライド案内するスライド案内部（１６）が設けられる請求項１ないし請求項４のいずれか１項に記載の携帯型無線キー。
【請求項６】
前記金属加飾部材は、前記無線キー本体の外形側面に沿ったＵ字状に形成されるとともに、前記無線キー本体の外形側面に形成された加飾取付凹部（１４）に取り付けられる請求項１ないし請求項５のいずれか１項に記載の携帯型無線キー。
【請求項７】
前記金属加飾部材は、前記加飾取付凹部に取り付けられた状態で、その外表面（１２６）が前記無線キー本体の外表面（１９）と連続的な曲面を形成する請求項６に記載の携帯型無線キー。
【請求項８】
前記無線キー本体は、その厚み方向において上下に分離され、かつ個々に樹脂材料から形成された上側ケース（１０）と下側ケース（２０）とを重ねた形で一体的に固定することで構成され、
前記金属加飾部材及び前記スイッチ操作カバーは、それぞれ前記上側ケースに取り付けられる請求項１ないし請求項７のいずれか１項に記載の携帯型無線キー。
【発明の詳細な説明】
【技術分野】
【０００１】
本発明は、車両側との無線通信により、少なくとも車両のドアロックの施錠／開錠に係る制御を実施させる携帯型無線キーに関する。
【背景技術】
【０００２】
近年、スマートエントリーシステム等の電子キーシステムにおいては、車両のドアロックの施錠／開錠に係る制御を実施させるための無線通信を行う携帯型無線キーを備える。このような携帯型無線キーは、携帯電話のように人が持つものであり、耐落下性が必須である。近年は意匠性（加飾性）向上のため、金属加飾部材として亜鉛ダイカスト部品を携帯型無線キーに使用するものが増加している。この場合、従来の樹脂より重量が増加する分、耐落下性を満足する保持構造は強大なものにする必要がある。その結果、金属加飾部材の組付構造が複雑化してその組み付け作業が増加するとともに、耐落下性用の保持構造を構成するための部品が必要となり、部品点数やコストを増やすことになる。また、携帯型無線キーの構成においては、各車両毎にスイッチ（操作部）の数が異なるためスイッチ数毎の意匠が必要となり、同じスイッチ数でも機能配置違いが存在するため、スイッチバリエーションは膨大なものとなる。そして、このようなスイッチバリエーションに対応するために、例えば特許文献１に示すように各スイッチ毎にケース部品を製作しているが、これではイニシャル費が高くなるという問題がある。
【先行技術文献】
【特許文献】
【０００３】
【特許文献１】特許第４６５７０８６号公報
【発明の概要】
【発明が解決しようとする課題】
【０００４】
本発明の課題は、金属加飾部材の組み付け作業、部品点数、及びコストを増やすことなく耐落下性を向上させるとともに、イニシャル費を高めることなくスイッチバリエーションへの対応が容易にできる携帯型無線キーを提供することにある。
【課題を解決するための手段及び発明の効果】
【０００５】
上記の課題を解決するために、本発明は、
車両側との無線通信により、少なくとも前記車両のドアロックの施錠／開錠に係る制御を実施させる携帯型無線キーであって、無線キー本体（３）の外面に金属加飾部材（１２０）が取り付けられる携帯型無線キー（１）において、
前記携帯型無線キーは、
可動突起部（７２）を有するプッシュスイッチ（７１）が搭載されてなる回路基板（７０）と、
変形及びその復元が可能な柔軟なカバー材料からなり、使用者の押圧操作にともなって凹み変形して前記可動突起部を押圧する一方、その押圧操作の解除にともなって元の位置に復帰変形して前記可動突起部の押圧を解除する操作部（１３３）を有するスイッチ操作カバー（１３０）と、を備え、
前記金属加飾部材は、両端側に延びる一対の端辺部（１２１）と、該一対の端辺部を連結する連結辺部（１２２）とを備え、
前記端辺部の先端側には加飾嵌合部（１２３）が設けられ、前記連結辺部には加飾係合部（１２４）が設けられ、
前記無線キー本体には、前記加飾嵌合部を嵌止する加飾嵌止部（１５）と、前記加飾係合部を係止する加飾係止部（１７）と、前記スイッチ操作カバーに設けられたカバー係合部（１３１）を係止することでそのスイッチ操作カバーを着脱可能に取り付けるカバー係止部（１３）と、が設けられ、
前記加飾係合部を前記加飾係止部に係止するとともに前記加飾嵌合部を前記加飾嵌止部に嵌止することで、前記金属加飾部材を前記無線キー本体に固定し、
前記スイッチ操作カバーは、前記カバー係合部が前記カバー係止部に係止されて前記無線キー本体及び前記金属加飾部材の組立体に取り付けられることを特徴とする。
【０００６】
このように、金属加飾部材を無線キー本体に組み付ける場合には、金属加飾部材の一対の端辺部の先端側に設けられた加飾嵌合部を、無線キー本体側の加飾嵌止部で嵌止するとともに、金属加飾部材の連結辺部に設けられた加飾係合部を、無線キー本体側の加飾係止部で係止する。そして、スイッチ操作カバーのカバー係合部を無線キー本体のカバー係止部に係止することで、スイッチ操作カバーを無線キー本体及び金属加飾部材の組立体に取り付ける。これにより、特別な固着部材を設けることなく、簡単な組み付け作業で金属加飾部材を強固に固定することができ、ひいては金属加飾部材の組み付け作業、部品点数、及びコストを増やすことなく耐落下性を向上させることができる。しかも、この組み付け状態においては、無線キー本体及び金属加飾部材の組立体に対して、操作部が形成されたスイッチ操作カバーを取り換え可能な構成にできる。このため、操作部の操作機能を示すデザインが施されたスイッチ操作カバーを取り換えるだけで、イニシャル費を高めることなくスイッチバリエーションへの対応が容易にできる。
【図面の簡単な説明】
【０００７】
【図１】本発明の一実施形態における携帯型無線キーを示す斜視図。
【図２】携帯型無線キーを示す分解斜視図。
【図３】携帯型無線キーを示す平面図。
【図４】図３のＡ−Ａ線断面図。
【図５】携帯型無線キーを示す平面図。
【図６】図５のＢ−Ｂ線断面図。
【図７】図５のＣ−Ｃ線断面図。
【図８】上側ケースに対する金属加飾部材の取り付け状態を示す斜視図。
【図９】金属加飾部材の加飾嵌合部と上側ケースの加飾嵌止部との嵌合状態を示す斜視図。
【図１０】硬質変形カバーを示す上方からの斜視図。
【図１１】硬質変形カバーを示す下方からの斜視図。
【図１２】金属加飾部材及び上側ケースの組付体に対するスイッチ操作カバーの取り付け状態を示す斜視図。
【図１３】スイッチ操作カバーのカバー係合部と上側ケースのカバー係止部との係合状態を示す斜視図。
【図１４】金属加飾部材、上側ケース、及びスイッチ操作カバーの組付体を示す平面図。
【図１５】図１４のＥ−Ｅ線断面図。
【図１６】スイッチ操作カバーの種類に応じて異なる機能を備えた５つの携帯型無線キーを示す平面図。
【発明を実施するための形態】
【０００８】
本実施形態の携帯型無線キーは、例えば車両のキーレスエントリーや、スマートエントリーシステムやスマートスタートシステムに代表される電子キーシステムに適用されたものであり、少なくとも車両側と無線通信するための無線通信機能を有し、なおかつその無線通信により、少なくともその車両のドアロックの施錠／開錠に係る制御を実施させるものである。こうした電子キーシステムでは、車両側が、予め定められたキー探索エリア内にポーリング電波を無線出力して、その応答信号の無線受信に基づいて該キー探索エリア内に存在する携帯型無線キーの探索がなされるとともに、当該携帯型無線キーから無線受信するＩＤコードを照合し、その照合結果に基づいて、予め定められた車両制御が実施される。
【０００９】
本実施形態の携帯型無線キーは、いわゆる車両のスマートエントリーシステム及びスマートスタートシステムにおけるスマートキーとして構成される。スマートエントリーシステムでは、車外周辺の予め定められたキー探索エリア内に携帯型無線キーが存在する場合に、当該携帯型無線キーから無線返送されるＩＤコードを照合して、その照合結果に基づいてドアロックの開錠許可を与え、そのドアロックの開錠許可状態において所定のドアロック開錠操作が検知された場合にドアロック機構を作動して開錠する。すなわち、その照合結果に基づいて、車両のドアロックを、所定の開錠操作により開錠可能となる開錠許可状態と開錠不可となる開錠禁止状態との間で切り替える制御が実施される。
【００１０】
また、スマートスタートシステムでは、車室内の予め定められたキー探索エリア内に携帯型無線キーが存在する場合に、当該携帯型無線キーから無線返送されるＩＤコードを照合して、その照合結果に基づいてエンジンの始動許可を与え、そのエンジンの始動許可状態において所定のエンジン始動操作が検知された場合にエンジンを始動させる。すなわち、その照合結果に基づいて、車両のエンジンを、所定のエンジン始動操作により始動可能となる始動許可状態と始動不可となる始動禁止状態との間で切り替える制御が実施される。
【００１１】
以下、本発明の携帯型無線キーの一実施形態について図面を参照して説明する。図１及び図２に示すように、携帯型無線キー１は、対応する車両のドアロックの施錠／開錠を、当該車両のドアに設けられた鍵穴に対し直接的に行うエマージェンシーキー２と、そのエマージェンシーキー２を収容する無線キー本体３とを備えている。エマージェンシーキー２は、車両ドアの鍵穴に差し込まれるキープレート部２ａと、その端部に設けられたキー把持部２ｂとを備え、無線キー本体３内の所定の収容部３ａに対し挿入される形で保持される。キー把持部２ｂは、キープレート部２ａが無線キー本体３の収容部３ａ内に収容された状態で外部に露出して配置される。
【００１２】
無線キー本体３は、角部に面取りがなされた滑らかな外形を有した略直方体形状の筐体形状をなす。無線キー本体３には、エマージェンシーキー２を収容するための収容部３ａが無線キー本体３の長手方向に延びる形で形成されている。収容部３ａは、エマージェンシーキー２のキープレート部２ａを長手方向に挿入する形で収容しており、収容されたキープレート部２ａの鍵溝に係合する鍵溝係合部（図示なし）を有する。キープレート部２ａの鍵溝と、収容部３ａの鍵溝係合部とが係合状態となることで、仮抜け止め保持状態（ロックが解除されていれば一定の力以上で引き抜くことが可能な状態）となる。
【００１３】
無線キー本体３は、図３及び図４に示すように、その厚み方向において上下に分離されており、上側ケース１０と下側ケース２０とを重ねた形で一体的に固定される。上側ケース１０及び下側ケース２０は、それぞれ例えばポリカＡＢＳ樹脂（ポリカーボネイト樹脂とＡＢＳ樹脂を混ぜた樹脂）等の高強度の樹脂材料から形成されている。上側ケース１０及び下側ケース２０により形成される内部空間には、弾性変形カバー３０、リリースボタン４０、スプリング５０、硬質変形カバー６０、回路基板７０、電池８０、ターミナル９０、ＬＦ（Ｌｏｗ  Ｆｒｅｑｕｅｎｃｙ）アンテナ１００、クッションシート１１０が収容される。無線キー本体３の主表面を形成する上側ケース１０の上面には、金属加飾部材１２０及びスイッチ操作カバー１３０が取り付けられる一方、下側ケースの下面には、エンブレム１４０が取り付けられる。
【００１４】
上側ケース１０及び下側ケース２０は、図５ないし図７に示すように、角部に面取りがなされた滑らかな外形を有した略直方体形状の筐体形状をなす。上側ケース１０には、その長手方向に沿って４つの開口部１１が形成されている。開口部１１は、携帯型無線キー１の組み付け状態においてスイッチ操作カバー１３０の操作部１３３の凹み変形を回路基板７０に搭載されるプッシュスイッチ７１に伝達するための開口であり、４つの開口部１１は、それぞれ回路基板７０上の４つのプッシュスイッチ７１と個々に対応して設けられている。なお、各開口部１１間となる上側ケース１０の上面部分には、各開口部１１言い換えれば各操作部１３３を仕切るための仕切凸部１２が形成されている。また、前後両端２つの開口部１１の両側部分には、それぞれスイッチ操作カバー１３０を上側ケース１０に取り付けるためのカバー係止部１３が形成されている。
【００１５】
上側ケース１０の上面には、図８及び図９に示すように、金属加飾部材１２０を取り付けるための加飾取付凹部１４が形成されている。加飾取付凹部１４は、金属加飾部材１２０の外形形状と対応した凹面形状に形成され、加飾取付凹部１４の両側内壁の一端には、それぞれ金属加飾部材１２０の加飾嵌合部１２３を嵌止する凹状の加飾嵌止部１５が形成されている。一端に加飾嵌止部１５が形成された加飾取付凹部１４の両側内壁は、それぞれ金属加飾部材１２０の各端辺部１２１を内側に撓ませた状態で加飾嵌合部１２３を加飾嵌止部１５の位置にスライド案内するスライド案内部１６として構成されている。加飾嵌止部１５が形成された一端側（前端側）とは反対側になる加飾取付凹部１４の他端（後端）には、金属加飾部材１２０の一対の加飾係合部１２４を個々に係止する凸状の加飾係止部１７が左右一対に形成されるとともに（図６参照）、金属加飾部材１２０との組立体においてスイッチ操作カバー１３０を取り付けるための係止凹部３ｂを構成する凹部１８が形成されている（図１２参照）。
【００１６】
弾性変形カバー３０は、吸湿し難く弾力性を有する素材、例えばゴム等で形成され、硬質変形カバー６０及び回路基板７０をその上面側から被覆するようにして取り付けられる。これにより、弾性変形カバー３０は、スイッチ操作カバー１３０の隙間から入り込んだ水等が上側ケース１０の開口部１１を通って回路基板７０側へ侵入しないように機能（防水として機能）するとともに、スイッチ操作カバー１３０の操作部１３３の押圧操作（凹み変形）を弾性変形により回路基板７０側へ伝達するように機能する。なお、スイッチ操作カバー１３０の４つの操作部１３３と対応する弾性変形カバー３０の部分には、それぞれ上方に突出した段差形状の突出段部３１が形成されている。
【００１７】
リリースボタン４０は、エマージェンシーキー２を無線キー本体３から取り出すための取出ボタンとして機能する。そして、スプリング５０は、使用者が操作したリリースボタン４０を元の位置に戻すための付勢力を付与する。
【００１８】
硬質変形カバー６０は、ポリカーボネイト等の硬質の樹脂材料からなり、スイッチ操作カバー１３０の４つの操作部１３３、言い換えれば回路基板７０に搭載される４つのプッシュスイッチ７１と対応する部分には、それぞれ上方に突出した凸状の揺動部６１が形成されている。図１０及び図１１に示すように、凸状に形成された揺動部６１の外周一部には、切欠部６２が形成され、その切欠部６２が形成されない外周部分は、操作部１３３の操作にともなって揺動部６１を上下方向に揺動する可撓部６３を構成する。
【００１９】
回路基板７０は、平面視にて略長方形の板状をなし、その上面に押しボタン式となる４つのプッシュスイッチ７１が搭載される。４つのプッシュスイッチ７１は、それぞれ押圧操作を検出するための可動突起部７２を備えるとともに、回路基板７０の上方に順次配される硬質変形カバー６０の各揺動部６１、弾性変形カバー３０の各突出段部３１、上側ケース１０の各開口部１０、スイッチ操作カバー１３０の各操作部１３３と対応して配置され、操作部１３３の押圧操作時に突出段部３１の弾性変形及び揺動部６１の揺動動作に応じて可動突起部７２が押圧される。一方、回路基板７０の下面側には、車両と無線通信を行うための電子部品である電池８０、ターミナル９０、及びＬＦアンテナ１００が配置される。ＬＦアンテナ１００と下側ケース２０との間には、クッションシート１１０が介装されて上側ケース１０及び下側ケース２０を経た電子部品への衝撃が吸収される。
【００２０】
金属加飾部材１２０は、亜鉛ダイカストからなり、無線キー本体３（上側ケース１０）の外形側面に沿ったＵ字状、言い換えれば上側ケース１０に形成された加飾取付凹部１４と対応するＵ字状に形成されて該加飾取付凹部１４に取り付けられる。Ｕ字状をなす金属加飾部材１２０は、両端側に延びる一対の端辺部１２１と、一対の端辺部１２１を連結する連結辺部１２２とを備えている。端辺部１２１は、金属加飾部材１２０の左右方向（図８に示すＤ１−Ｄ２方向）に撓み可能に設けられ、その先端側には、上側ケース１０の加飾嵌止部１５と嵌合する加飾嵌合部１２３が形成されている。
【００２１】
連結辺部１２２には、上側ケース１０に設けられた一対の加飾係止部１７と個々に係合する一対の加飾係合部１２４が形成されるとともに、上側ケース１０との組立体において上側ケース１０の凹部１８との間で係止凹部３ｂを構成する凹部１２４が形成されている。なお、金属加飾部材１２０の外表面１２５は、金属加飾部材１２０を無線キー本体３（上側ケース１０）側の加飾取付凹部１４に取り付けた状態で、上側ケース１０の外表面１９と連続的な曲面を形成する形状をなしている。
【００２２】
スイッチ操作カバー１３０は、扁平形状に形成されたゴム材料の下面に樹脂材料が一体的に成形されてなる。樹脂材料からなるスイッチ操作カバー１３０の下面部分には、図１２及び図１３に示すように、カバー係止部１３との係合によりスイッチ操作カバー１３０を上側ケース１０に取り付ける爪状のカバー係合部１３１が形成されている。また、スイッチ操作カバー１３０には、図１４及び図１５に示すように、上側ケース１０に形成された３つの仕切凸部１２を個々に挿入する挿入溝部１３２が形成され、その挿入溝部１３２で区分けされた４つの領域が４つのプッシュスイッチ７１を個々に押圧操作するための操作部１３３を構成する。スイッチ操作カバー１３０の後端には、上側ケース１０及び金属加飾部材１２０の組立体の係止凹部３ｂと係合する取り付け用の係合凸部１３４が形成されている。
【００２３】
なお、４つのプッシュスイッチ７１は、それぞれドアロックの解除、施錠、車両バックドアの開放、及び警報発生の機能を制御するためのスイッチであり、各操作部１３３を構成するスイッチ操作カバー１３０の４つの表面には、それぞれ各機能を模式的に示すデザインマーク１３５がパッド印刷されている。一方、各操作部１３３の裏面には、弾性変形カバー３０の突出段部３１を介して硬質変形カバー６０の揺動部６１を嵌入する凹面部１３６が形成されている。また、エンブレム１４０は、その裏面に貼付された粘着テープ１４１を介して下側ケース２０の下側外壁に取り付けられる。
【００２４】
ところで、本実施形態の携帯型無線キー１は、上記したようにドアロックの解除、施錠、車両トランクの開放、及び警報発生の機能を制御する構成となっているが、携帯型無線キー１（４つのプッシュスイッチ７１）の機能制御はこれに限定されるものではない。そして、携帯型無線キー１（４つのプッシュスイッチ７１）の機能制御を様々な仕様に変更した場合、各仕様に応じたデザインマーク１３５のスイッチ操作カバー１３０を取り付けるだけで、イニシャル費を高めることなくスイッチバリエーションへの対応が容易に行える。
【００２５】
例えば、図１６に示すように、ドアロックの解除、施錠、車両トランクの開放、及び警報発生の機能制御を備えた携帯型無線キー１Ａ（本実施形態の携帯型無線キー１）のスイッチバリエーションとして、デザインマーク１３５が異なるスイッチ操作カバー１３０に取り換えるだけで、ドアロックの解除、施錠、リモートスタート、及び警報発生の機能制御を備えた携帯型無線キー１Ｂ、ドアロックの解除、施錠、リモートスタート、及び車両トランクの開放の機能制御を備えた携帯型無線キー１Ｃ、ドアロックの解除、施錠、リモートスタート、及び車両バックドアの開放の機能制御を備えた携帯型無線キー１Ｄ、ドアロックの解除、施錠、車両バックドアの開放、及び警報発生の機能制御を備えた携帯型無線キー１Ｅ、等のバリエーションを作ることができる。
【００２６】
以上のように、本実施形態の構成によれば、車両側との無線通信により、少なくとも車両のドアロックの施錠／開錠に係る制御を実施させる携帯型無線キー１であって、無線キー本体３の外面に金属加飾部材１２０が取り付けられる携帯型無線キー１において、携帯型無線キー１は、可動突起部７２を有するプッシュスイッチ７１が搭載されてなる回路基板７０と、変形及びその復元が可能な柔軟なカバー材料からなり、使用者の押圧操作にともなって凹み変形して可動突起部７２を押圧する一方、その押圧操作の解除にともなって元の位置に復帰変形して可動突起部７２の押圧を解除する操作部１３３を有するスイッチ操作カバー１３０と、を備え、金属加飾部材１２０は、両端側に延びる一対の端辺部１２１と、該一対の端辺部１２１を連結する連結辺部１２２とを備え、端辺部１２１の先端側には加飾嵌合部１２３が設けられ、連結辺部１２２には加飾係合部１２４が設けられ、無線キー本体３には、加飾嵌合部１２３を嵌止する加飾嵌止部１５と、加飾係合部１２４を係止する加飾係止部１７と、スイッチ操作カバー１３０に設けられたカバー係合部１３１を係止することでそのスイッチ操作カバー１３０を着脱可能に取り付けるカバー係止部１３と、が設けられ、加飾係合部１２４を加飾係止部１７に係止するとともに加飾嵌合部１２３を加飾嵌止部１５に嵌止することで、金属加飾部材１２０を無線キー本体３に固定し、スイッチ操作カバー１３０は、カバー係合部１３１がカバー係止部１３に係止されて無線キー本体３及び金属加飾部材１２０の組立体に取り付けられることを特徴とする。
【００２７】
このように、金属加飾部材１２０を無線キー本体３に組み付ける場合には、金属加飾部材１２０の一対の端辺部１２１の先端側に設けられた加飾嵌合部１２３を、無線キー本体３側の加飾嵌止部１５で嵌止するとともに、金属加飾部材１２０の連結辺部１２２に設けられた加飾係合部１２４を、無線キー本体３側の加飾係止部１７で係止する。そして、スイッチ操作カバー１３０のカバー係合部１３１を無線キー本体３のカバー係止部１３に係止することで、スイッチ操作カバー１３０を無線キー本体３及び金属加飾部材１２０の組立体に取り付ける。これにより、特別な固着部材を設けることなく、簡単な組み付け作業で金属加飾部材１２０を強固に固定することができ、ひいては金属加飾部材１２０の組み付け作業、部品点数、及びコストを増やすことなく耐落下性を向上させることができる。しかも、この組み付け状態においては、無線キー本体３及び金属加飾部材１２０の組立体に対して、操作部１３３が形成されたスイッチ操作カバー１３０を取り換え可能な構成にできる。このため、操作部１３３の操作機能を示すデザインが施されたスイッチ操作カバー１３０を取り換えるだけで、イニシャル費を高めることなくスイッチバリエーションへの対応が容易にできる。
【００２８】
なお、上記した無線キー本体３、金属加飾部材１２０、及びスイッチ操作カバー１３０のより具体的な組み付け構成として、端辺部１２１は、金属加飾部材１２０の左右方向に撓み可能に設けられ、加飾嵌止部１５は、加飾嵌合部１２３を嵌止することで該加飾嵌合部１２３の前後方向及び上下方向の移動を規制し、加飾係止部１７は、加飾係合部１２４を係止することで該加飾係合部１２４の上下方向の移動を規制し、加飾嵌合部１２４は、端辺部１２１の撓み戻しを利用して加飾嵌止部１５に嵌止されることで、金属加飾部材１２０の前後方向及び上下方向の移動を規制し、スイッチ操作カバー１３０は、カバー係合部１３１がカバー係止部１３に係止されることで、端辺部１２１の撓み方向となる金属加飾部材１２０の左右方向の移動を規制する構成とすることができる。
【００２９】
また、回路基板７０には、プッシュスイッチ７１が複数搭載され、スイッチ操作カバー１３０には、複数のプッシュスイッチ７１と個々に対応する複数の操作部１３３が設けられる。これにより、スイッチ操作カバー１３０を多数のプッシュスイッチ７１に対して一体化することで部品点数を削減することができる。また、複数のプッシュスイッチ７１に対する機能制御を様々に変更することで、スイッチバリエーションを多様化することができる。
【００３０】
また、複数の操作部１３３となるスイッチ操作カバー１３０の各表面には、それぞれ当該操作部１３３と対応するプッシュスイッチ７１の機能を図案化したデザインマーク１３５が施される。これにより、複数の操作部１３３（プッシュスイッチ７１）に対する機能制御を使用者に分かり易く認識させることができる。また、携帯型無線キー１（複数のプッシュスイッチ７１）の機能制御を様々な仕様に変更した場合、各仕様に応じたデザインマーク１３５のスイッチ操作カバー１３０を取り付けるだけで、イニシャル費を高めることなくスイッチバリエーションへの対応が容易に行える。
【００３１】
また、無線キー本体３（上側ケース１０）には、加飾嵌合部１２３を加飾嵌止部１５に嵌止する位置へスライド案内するスライド案内部１６が設けられる。これにより、金属加飾部材１２０を無線キー本体３に組み付ける作業を容易にすることができる。
【００３２】
また、金属加飾部材１２０は、無線キー本体３の外形側面に沿ったＵ字状に形成されるとともに、無線キー本体３の外形側面に形成された加飾取付凹部１４に取り付けられる。これにより、携帯型無線キー１（無線キー本体３）の外形側面をＵ字状の金属加飾部材１２０で装飾することができる。
【００３３】
また、金属加飾部材１２０は、加飾取付凹部１４に取り付けられた状態で、その外表面１２６が無線キー本体３の外表面１９と連続的な曲面を形成する。これにより、無線キー本体３及び金属加飾部材１２０の組み付け状態において一体感を与えることができる。
【００３４】
以上、本発明の実施形態を説明したが、これはあくまで例示に過ぎず、本発明はこれに限定されるものではなく、特許請求の範囲の趣旨を逸脱しない限りにおいて種々の変更が可能である。例えば、実施形態中の構成では、金属加飾部材を亜鉛ダイカストで形成した場合を例示しているが、この材質に限定されるものではなく、金属材料から形成されたものであればいずれの構成であってもよい。
【００３５】
また、実施形態中では、無線キー本体の主表面（操作部が設けられる面）を形成する上側ケースに金属加飾部材を取り付ける構成としているが、この構成に限定されるものではなく、無線キー本体の主表面とは反対側の面を形成する下側ケースに金属加飾部材を取り付けたり、あるいは上側ケースと下側ケースとに跨って金属加飾部材を取り付けるようにしてもよい。
【００３６】
また、両端側に延びる一対の端辺部と該一対の端辺部を連結する連結辺部とを備えた金属加飾部材の形状をＵ字状として表現していが、このＵ字状とは厳密なＵの字形状（例えば、連結辺部が湾曲形状のもの等）に限定されるものではなく、門形状（例えば、連結辺部が直線形状に形成され、かつこれに対して一対の端辺部が直交して設けられるもの）等のように一辺部分が開放された形状のものでもよい。
【符号の説明】
【００３７】
１  携帯型無線キー
３  無線キー本体
１０  上側ケース
１３  カバー係止部
１４  加飾取付凹部
１５  加飾嵌止部
１６  スライド案内部
１７  加飾係止部
１９  外表面
２０  下側ケース
３０  弾性変形カバー
６０  硬質変形カバー
７０  回路基板
７１  プッシュスイッチ
７２  可動突起部
１２０  金属加飾部材
１２１  端辺部
１２２  連結辺部
１２３  加飾嵌合部
１２４  加飾係合部
１２６  外表面
１３０  スイッチ操作カバー
１３１  カバー係合部
１３３  操作部
１３５  デザインマーク（マーク）
【図１】
2015086570.tif 000003
【図２】
2015086570.tif 000004
【図３】
2015086570.tif 000005
【図４】
2015086570.tif 000006
【図５】
2015086570.tif 000007
【図６】
2015086570.tif 000008
【図７】
2015086570.tif 000009
【図８】
2015086570.tif 000010
【図９】
2015086570.tif 000011
【図１０】
2015086570.tif 000012
【図１１】
2015086570.tif 000013
【図１２】
2015086570.tif 000014
【図１３】
2015086570.tif 000015
【図１４】
2015086570.tif 000016
【図１５】
2015086570.tif 000017
【図１６】
2015086570.tif 000018